(57)【要約】  画像表示装置は、プローブをカテーテルの軸方向へ移動しながら取得した複数の血管断層像と、プローブの移動の間に撮影された複数のＸ線画像と、を格納した格納部へアクセスし、複数のＸ線画像から表示対象のＸ線画像を取得し、複数の血管断層像から血管断層像を特定する。画像表示装置は、取得されたＸ線画像におけるプローブが移動した血管に対応する血管像上の、特定された血管断層像の取得位置に対応する位置を決定し、決定された位置を示すように所定の図形をＸ線画像に重畳表示するとともに、特定された血管断層像に関連付けられた断面情報に基づく情報を表示する。
2017130927.tif 000002
【特許請求の範囲】
【請求項１】
プローブをカテーテルの軸方向へ移動しながら取得した複数の血管断層像と、前記プローブの前記移動の間に撮影された複数のＸ線画像とを格納した格納手段へアクセスするアクセス手段と、
前記アクセス手段を介して前記複数のＸ線画像から表示対象のＸ線画像を取得する取得手段と、
前記複数の血管断層像から血管断層像を特定する特定手段と、
前記表示対象のＸ線画像において、前記プローブが移動した血管に対応する血管像上の、前記特定された血管断層像の取得位置に対応する位置を決定する決定手段と、
前記決定手段により決定された位置を示すように所定の図形を前記表示対象のＸ線画像に重畳表示するとともに、前記特定手段により特定された血管断層像に関連付けられた断面情報に基づく情報を表示手段に表示する表示制御手段と、を備えることを特徴とする画像表示装置。
【請求項２】
前記決定手段は、
前記表示対象のＸ線画像の前記血管像上における、前記複数の血管断層像の各々の取得位置に対応する位置を記録した位置変換テーブルを生成し、
前記位置変換テーブルの参照により、前記特定された血管断層像の取得位置に対応する位置を決定することを特徴とする請求項１に記載の画像表示装置。
【請求項３】
前記決定手段は、
あらかじめ前記複数のＸ線画像の各々について位置変換テーブルを生成して保持し、
前記表示対象のＸ線画像の位置変換テーブルを選択して参照することにより、前記表示対象のＸ線画像における前記対応する位置を決定することを特徴とする請求項２に記載の画像表示装置。
【請求項４】
前記決定手段は、
Ｘ線画像の前記プローブが移動した血管像において血管断層像の撮影範囲を特定し、
前記撮影範囲に対応する血管断層像の複数の取得位置を、該撮影範囲において等間隔に並べた位置に基づいて、前記血管像上の対応する位置を決定することを特徴とする請求項１乃至３のいずれか１項に記載の画像表示装置。
【請求項５】
前記撮影範囲は、前記血管像における、前記プローブに設けられたＸ線不透過マーカの位置からガイディングカテーテルの端部の位置までの範囲であることを特徴とする請求項４に記載の画像表示装置。
【請求項６】
前記表示制御手段は、前記複数の血管断層像から、前記表示対象のＸ線画像の取得タイミングに対応する血管断層像を選択して前記表示対象のＸ線画像とともに表示する同期表示を行うことを特徴とする請求項１乃至５のいずれか１項に記載の画像表示装置。
【請求項７】
前記特定手段は、前記複数の血管断層像に関連付けられた断面情報に基づいて、基部側のリファレンス位置の血管断層像と、末梢側のリファレンス位置の血管断層像を特定することを特徴とする請求項１乃至６のいずれか１項に記載の画像表示装置。
【請求項８】
前記特定手段は、前記複数の血管断層像に関連付けられた断面情報に基づいて、１つの分枝部の基部側の血管断層像と該１つの分枝部の末梢側の血管断層像を特定することを特徴とする請求項１乃至７のいずれか１項に記載の画像表示装置。
【請求項９】
前記特定手段は、前記複数の血管断層像に関連付けられた断面情報に基づいて、留置済みのステントの両端位置の血管断層像を特定することを特徴とする請求項１乃至８のいずれか１項に記載の画像表示装置。
【請求項１０】
前記表示制御手段は、前記特定手段により特定された血管断層像に関連付けられた断面情報から、内腔面積、内腔平均径、最大径、最小径、偏芯度の少なくともいずれか一つを表示することを特徴とする請求項１乃至９のいずれか１項に記載の画像表示装置。
【請求項１１】
前記特定手段は、前記複数の血管断層像に関連付けられた断面情報に基づいて、ユーザがブックマークを付加した血管断層像を特定することを特徴とする請求項１乃至１０のいずれか１項に記載の画像表示装置。
【請求項１２】
前記表示制御手段は、前記特定手段により特定された血管断層像に関連付けられた断面情報に基づく情報を、前記決定手段により決定された位置に基づいて前記Ｘ線画像に重畳表示することを特徴とする請求項１乃至１１のいずれか１項に記載の画像表示装置。
【請求項１３】
前記特定手段は、石灰化の厚さまたは石灰化の角度を示す情報を有する断面情報が関連付けられた血管断層像を特定し、
前記表示制御手段は、前記血管像上の、前記特定された血管断層像の取得位置に対応する位置に基づいて、石灰化の厚さの分布または石灰化の角度の分布を表す表示を、前記Ｘ線画像に重畳することを特徴とする請求項１乃至１２のいずれか１項に記載の画像表示装置。
【請求項１４】
前記Ｘ線画像上において、前記血管像上におけるユーザの指定位置を検出する検出手段をさらに備え、
前記表示制御手段は、前記検出手段により検出された指定位置に最も近い取得位置の血管断層像を前記複数の血管断層像から選択して表示することを特徴とする請求項１乃至１３のいずれか１項に記載の画像表示装置。
【請求項１５】
前記表示制御手段は、
前記指定位置に最も近い取得位置の血管断層像の取得タイミングに対応したＸ線画像を前記複数のＸ線画像から選択して表示し、
所定時間よりも短い間隔で前記指定位置が変化する間は、前記Ｘ線画像の表示の更新を行わないことを特徴とする請求項１４に記載の画像表示装置。
【請求項１６】
前記断面情報は、基準位置から血管断層像の取得位置までの血管に沿った距離を示す距離情報を含み、
前記表示制御手段は、前記特定手段により特定された２つの血管断層像に関連付けられた前記距離情報に基づいて前記２つの血管断層像の間の距離を表示することを特徴とする請求項１乃至１５のいずれか１項に記載の画像表示装置。
【請求項１７】
前記特定手段は、前記Ｘ線画像における前記プローブが移動した血管の血管像上で、ユーザが指定した位置に対応する血管断層像を特定することを特徴とする請求項１６に記載の画像表示装置。
【請求項１８】
画像表示装置の制御方法であって、
プローブをカテーテルの軸方向へ移動しながら取得した複数の血管断層像と、前記プローブの前記移動の間に撮影された複数のＸ線画像とを格納した格納手段へアクセスして前記複数のＸ線画像から表示対象のＸ線画像を取得する取得工程と、
前記複数の血管断層像から血管断層像を特定する特定工程と、
前記表示対象のＸ線画像において、前記プローブが移動した血管に対応する血管像上の、前記特定された血管断層像の取得位置に対応する位置を決定する決定工程と、
前記決定工程で決定された位置を示すように所定の図形を前記表示対象のＸ線画像に重畳表示するとともに、前記特定工程で特定された血管断層像に関連付けられた断面情報に基づく情報を表示手段に表示する表示制御工程と、を有することを特徴とする画像表示装置の制御方法。
【請求項１９】
請求項１８に記載された画像表示装置の制御方法の各工程をコンピュータに実行させるためのプログラム。
【発明の詳細な説明】
【技術分野】
【０００１】
本発明は、生体組織の断層像とＸ線画像の同期表示に関する。
【背景技術】
【０００２】
バルーンカテーテル、ステント等の高機能カテーテルによる血管内治療が行われている。この血管内治療における手術前の診断、或いは、手術後の経過確認のために、超音波断層像診断装置（ＩＶＵＳ：Intravascular ultrasound）が用いられている。また、ＩＶＵＳの代わりとして光干渉断層診断装置（ＯＣＴ：Optical Coherence Tomography）や、ＯＣＴの改良型として、波長掃引を利用した光干渉断層診断装置（ＳＳ−ＯＣＴ：Swept-source Optical coherence Tomography）が用いられている。ＩＶＵＳやＯＣＴなどの断層像を取得可能な血管内診断装置は、Ｘ線装置で確認した病変部位のより詳細な情報、例えば血管内の狭窄率や分枝におけるプラークの存在、石灰化の分布などを得るために使用される。【０００３】
医師は、治療が必要であると判断した場合、上述の血管内診断装置により得られた血管断層像を観察することで、例えばステントエッジ位置をどこにするか等の治療の詳細を決定する。こうして決定された治療部位を治療する際には、医師はＸ線装置で得られるＸ線画像（アンジオ画像）を見ながら、バルーンやステントの設置等の治療を実施する。そのため、血管断層像を確認して決定した治療部位、すなわちバルーンやステントの設置位置等が、Ｘ線画像上のどの位置に相当するかを理解することは治療において非常に重要な要素となる。
【先行技術文献】
【特許文献】
【０００４】
【特許文献１】特開２０１３−１１６３３２号公報
【発明の概要】
【発明が解決しようとする課題】
【０００５】
前述した通り、血管内治療等においては、得られた血管断層像とＸ線画像上の位置関係を把握する事が重要となる。しかしながら、血管内診断装置とＸ線装置はそれぞれ別のモダリティとして構成されているため、医師は例えば分枝位置などのランドマークを頼りに、血管断層像で診断した部位に対応するＸ線画像上の位置を推測して治療を行う必要がある。【０００６】
上述したような血管断層像に対応するＸ線画像上の位置の推測精度を向上させるために、血管断層像取得時のＸ線画像を取り込み、血管断層像と同期してＸ線画像を表示する装置が存在する（特許文献１を参照）。一般に、血管断層像装置に繋がるカテーテルには、そのセンサ部近傍にＸ線不透過マーカが設置されており、血管断層像とＸ線画像を同期して表示することにより、上記の推定精度を向上させている。この機能を用いることで、血管断層像とＸ線画像上のＸ線不透過マーカ位置とを一対一に対応付けて視覚化する事が可能である。【０００７】
しかしながら、医師は病変を評価する場合、単一の血管断層像と単一のＸ線画像上の位置のみを見ているのではなく、血管全体を見て評価を実施している。つまり、医師は、血管断層像を確認した結果として血管長軸方向にある程度の長さを持った病変範囲を把握し、その病変範囲に対応するＸ線画像上の範囲を想像し、評価・治療を行っている。前述したような血管断層像とＸ線画像を単に同期して表示する機能では、医師が確認したいＸ線画像上の病変範囲を視覚化できておらず、単一の血管断層像の、単一のＸ線画像上における位置しか確認することができない。【０００８】
本発明は、上記課題に鑑みてなされたものであり、複数の血管断層像から特定された血管断層像の断面情報とＸ線画像上における位置とをユーザが容易に把握できるようにすることを目的とする。
【課題を解決するための手段】
【０００９】
上記の目的を達成する本発明の一態様による画像表示装置は以下の構成を備える。すなわち、
プローブをカテーテルの軸方向へ移動しながら取得した複数の血管断層像と、前記プローブの前記移動の間に撮影された複数のＸ線画像とを格納した格納手段へアクセスするアクセス手段と、
前記アクセス手段を介して前記複数のＸ線画像から表示対象のＸ線画像を取得する取得手段と、
前記複数の血管断層像から血管断層像を特定する特定手段と、
前記表示対象のＸ線画像において、前記プローブが移動した血管に対応する血管像上の、前記特定された血管断層像の取得位置に対応する位置を決定する決定手段と、
前記決定手段により決定された位置を示すように所定の図形を前記表示対象のＸ線画像に重畳表示するとともに、前記特定手段により特定された血管断層像に関連付けられた断面情報に基づく情報を表示手段に表示する表示制御手段と、を備える。
【発明の効果】
【００１０】
本発明によれば、複数の血管断層像から特定された血管断層像の断面情報とＸ線画像上における位置とが容易に把握される。
本発明のその他の特徴及び利点は、添付図面を参照とした以下の説明により明らかになるであろう。
【図面の簡単な説明】
【００１１】
添付図面は明細書に含まれ、その一部を構成し、本発明の実施の形態を示し、その記述と共に本発明の原理を説明するために用いられる。
【図１】実施形態による表示システムの構成を説明する図である。
【図２Ａ】血管断層像を取得するためのカテーテルシステムを説明する図である。
【図２Ｂ】血管断層像を取得するためのカテーテルシステムを説明する図である。
【図３Ａ】血管断層像とＸ線画像の収集タイミングを説明する図である。
【図３Ｂ】血管断層像に関連付けられる断面情報の構成例を示す図である。
【図４】実施形態の表示システムによる断層像情報のオーバーレイ表示処理を説明するフローチャートである。
【図５】実施形態による血管検出処理を説明するフローチャートである。
【図６Ａ】血管検出処理により得られる血管位置情報を説明する図である。
【図６Ｂ】血管検出処理により得られる血管断層像の取得位置を説明する図である。
【図７Ａ】実施形態による変換テーブル生成処理を説明するフローチャートである。
【図７Ｂ】変換テーブルのデータ構成例を示す図である。
【図８】実施形態による同期表示および断面情報重畳表示処理を説明するフローチャートである。
【図９】実施形態による同期表示と、Ｘ線画像における重畳表示の例を示す図である。
【図１０Ａ】実施形態によるＸ線画像の重畳表示の例を示す図である。
【図１０Ｂ】実施形態によるＸ線画像の重畳表示の例を示す図である。
【発明を実施するための形態】
【００１２】
以下、添付の図面を参照して本発明の好適な実施形態の一例を説明する。
【００１３】
図１は、本実施形態による、血管断層像とＸ線画像（アンジオ画像）の同期表示を実現する表示システムの構成例を示す図である。血管内診断装置１００において、断層像生成部１０１は、被検者の血管内に挿入されたカテーテルシステムから得られる信号に基づいて血管内超音波法（ＩＶＵＳ）または光干渉断層法（ＯＣＴ）などにより血管内の断層像（以下、血管断層像）を生成する。カテーテルシステム１１１は、たとえば、患者１０の心臓の周囲の血管内の断層像を撮影するために、足の付け根の動脈を通して心臓の近くまで挿入される。血管内診断装置１００がＯＣＴを用いた光干渉診断装置の場合、断層像生成部１０１はカテーテルシステム１１１のプローブを介して計測光を出射し、その反射光をプローブを介して入射することにより断層像を得る。他方、血管内診断装置１００がＩＶＵＳを用いた超音波断層像撮影装置の場合、断層像生成部１０１は、カテーテルシステム１１１のプローブを介して超音波信号を出力し、その反射信号をプローブを介して入力することにより断層像を得る。
【００１４】
図２Ａ、図２Ｂは、カテーテルシステム１１１について説明する図である。図２Ａに示されるように、カテーテルシステム１１１は、ガイディングカテーテル１１２、断層像撮影のためのプローブ１１５を内包したカテーテル１１３、ガイドワイヤ１１４を含む。ガイディングカテーテル１１２はガイドワイヤ１１４およびカテーテル１１３を挿通するための中空を有する。例えば、冠動脈の断層像を撮影する場合、医師は、ガイディングカテーテル１１２を冠動脈の付近まで挿入した後、ガイドワイヤ１１４をガイディングカテーテル１１２内に通して冠動脈の撮影部位まで送り込む。そして、医師は、ガイドワイヤ１１４に沿ってカテーテル１１３を送り込むことにより、カテーテル１１３のイメージングコア１１７を冠動脈の撮影領域まで送り込む。カテーテル１１３には、ガイドワイヤルーメン１１９が設けられており、これにガイドワイヤ１１４を通すことで、カテーテル１１３はガイドワイヤに沿って進むことができる。
【００１５】
図２Ｂには、図２Ａの符号２Ｂの部分（カテーテル１３１の先端部）の詳細が示されている。断層像撮影のためのプローブ１１５は、金属シャフト１１６、イメージングコア１１７、Ｘ線不透過マーカ１１８を含む。ＯＣＴによる断層撮影の場合、金属シャフト１１６内を通る光ファイバの先端にイメージングコア１１７が接続される。イメージングコア１１７は、光ファイバ先端部から測定光を送受信する光学部品を含む。他方、ＩＶＵＳによる断層撮影の場合には、金属シャフト１１６内を通る信号線と、超音波信号を送受信する超音波トランスジューサを含むイメージングコア１１７とが接続される。金属シャフト１１６は回転駆動（矢印１２０の方向への回転）しながら、カテーテルの軸方向へ移動（矢印１２１の方向への移動）する（以下、プルバックという）。金属シャフト１１６とともにイメージングコア１１７も回転しながらカテーテルの軸方向へ移動する。イメージングコアの１回転により断層像が得られるので、回転するイメージングコア１１７の移動中に取得される断層像は、血管路に沿った複数の血管断層像となる。イメージングコア１１７と金属シャフト１１６の間には、Ｘ線画像上でイメージングコア１１７の位置を認識するためのＸ線不透過マーカ１１８が設けられている。なお、Ｘ線不透過マーカ１１８は、イメージングコア１１７の先端側に設けられてもよい。
【００１６】
図１に戻り、断層像生成部１０１は、ＩＶＵＳまたはＯＣＴにより得られた断層像（本実施形態では血管断層像）を血管断層像格納部１０５に格納する。なお、断層像生成部１０１による断層像のフレームレートは、１６０〜１８０Ｈｚ程度である。断面情報生成部１０２は、医師が入力した断層像の観察結果を示す情報（病変部位の区間指定（リファレンス）、石灰化に関する監察結果等）や、断層像生成部１０１が生成した血管断層像を自動的に解析して得た情報（血管の内腔面積や内腔平均径など）を断面情報として断層像に対応付けて血管断層像格納部１０５に格納する。血管内診断装置１００とＸ線撮影装置２００とはケーブル１０４により接続されている。Ｘ線画像取得部１０３は、Ｘ線撮影装置２００により取得されたＸ線画像を、Ｘ線撮影装置２００からケーブル１０４を介して受信し、Ｘ線画像格納部１０６に格納する。血管断層像格納部１０５とＸ線画像格納部１０６は画像表示装置３００によるアクセスが可能である。なお、本実施形態では血管内診断装置１００とＸ線撮影装置２００との間の通信がケーブル１０４（有線）を介して行われる例を示したが、これに限られるものではなく、無線通信等が用いられてもよい。
【００１７】
Ｘ線撮影装置２００はＸ線源２１１を駆動してＸ線を患者１０に照射し、Ｘ線センサ２１２で透過Ｘ線を検出することでＸ線画像（たとえば、アンジオ画像）を得る。Ｘ線撮影装置２００は、得られたＸ線画像を、ケーブル１０４を介して血管内診断装置１００へ送信することができる。Ｘ線撮影装置２００におけるＸ線画像のフレームレートは、たとえば、７〜３０Ｈｚ程度である。なお、Ｘ線画像取得部１０３は、Ｘ線撮影装置２００から送られてくるＸ線画像のうち、プルバック中（血管断層像の撮影中）に撮影されたＸ線画像を保存するものとする。
【００１８】
画像表示装置３００は、Ｘ線画像と血管断層像を同期表示するとともに、血管断層像について取得された断面情報を、Ｘ線画像上の血管断層像に対応する位置に重畳して表示する。なお、「血管断層像に対応する位置」とは、その血管断層像が撮影されたときのイメージングコア１１７のＸ線画像上の位置であり、以下、断層像取得位置ともいう。画像表示装置３００において、Ｘ線画像読込部３０１はＸ線画像格納部１０６にアクセスしてＸ線画像を読み出す。血管検出部３０２は、Ｘ線画像から、血管断層像が取得された血管（プローブ１１５が移動した血管、以下、対象血管ともいう）を検出する。血管検出部３０２により検出された対象血管の位置は血管位置情報として血管位置情報格納部３０４に格納される。テーブル生成部３０３は、血管断層像格納部１０５に格納されている血管断層像群の各フレームについて、血管検出部３０２が検出した対象血管上における取得位置を推定する。そして、テーブル生成部３０３は、血管断層像のフレームと、推定された取得位置（Ｘ線画像上のｘ、ｙ座標で示される）とを対応づけて記録した位置変換テーブルを生成し、変換テーブル格納部３０５に格納する。
【００１９】
血管断層像読込部３０６は、血管断層像格納部１０５にアクセスして血管断層像および断面情報を読み込み、表示制御部３０７に提供する。表示制御部３０７は、Ｘ線画像読込部３０１により読み込まれたＸ線画像と、血管断層像読込部３０６により読み込まれた血管断層像とをディスプレイ３０８に同期表示するとともに、血管断層像に付加されている断面情報を重畳表示する。上述した画像表示装置３００の各部は、コンピュータが所定のプログラムを実行することにより実現されてもよいし、それらの一部またはすべてが専用のハードウエアによって実現されてもよい。
【００２０】
以下、上述のような構成を備えた本実施形態の表示システムによる血管断層像とＸ線画像の同期表示処理および重畳表示処理について説明する。まず、図３Ａを参照して、本実施形態の血管内診断装置１００による血管断層像およびＸ線画像の収集について説明する。
【００２１】
図３Ａは、本実施形態によるＸ線画像および血管断層像の収集のタイミングを説明する図である。血管内診断装置１００の不図示の操作パネルにおいて、ユーザがスキャン開始を指示すると、血管内診断装置１００はカテーテル１１３内の金属シャフト１１６（およびイメージングコア１１７）の低速回転を開始する。その後、血管内診断装置１００の操作パネルにおいてユーザがプルバックレディ開始を指示すると、血管内診断装置１００は金属シャフト１１６（およびイメージングコア１１７）の高速回転を開始する。イメージングコア１１７を高速回転させると、プルバックをしながらの断層像の撮影を開始できる状態となる。
【００２２】
プルバックレディ開始の後、ユーザはＸ線撮影装置２００の不図示の操作パネルからＸ線撮影開始を指示する。Ｘ線撮影開始が指示されると、Ｘ線撮影装置２００はＸ線源２１１からＸ線を照射させてＸ線センサ２１２によりＸ線画像（たとえば、アンジオ画像）を撮影する。得られたＸ線画像は、血管内診断装置１００にケーブル１０４を介して送信される。ただし、本実施形態では、プルバック開始が指示されるまでに受信されたＸ線画像群３２１はＸ線画像格納部１０６に格納されないようにしている。
【００２３】
ユーザは、Ｘ線撮影開始を指示した後、フラッシュを開始する。フラッシュでは、血管内に造影剤が投入される。そして、ユーザによりプルバック開始が指示されると、血管内診断装置１００はイメージングコア１１７のプルバックを開始するとともに、血管断層像の生成を開始する。プルバック動作中の血管断層像群３１１は血管断層像格納部１０５に格納される。また、このプルバック動作中にＸ線撮影装置２００により取得されたＸ線画像群３２２は、Ｘ線画像取得部１０３によりＸ線画像格納部１０６に格納される。格納されるＸ線画像には、プルバックを行っている血管の注目領域が造影剤のある状態で映っており、イメージングコア１１７のプルバックとともに移動するＸ線不透過マーカ１１８が映っている。なお、同期表示に用いられる血管断層像は、血管断層像群３１１のうちのプルバック開始からガイディングカテーテル１１２の端部が検出される血管断層像までの血管断層像（本実施形態ではＮフレームの血管断層像が存在するものとする）である。また、同期表示に用いられるＸ線画像は、Ｘ線画像群３２２のうち、上記Ｎフレームの血管断層像に対応するＭフレームのＸ線画像である。ＮとＭの比は、血管断層像のフレームレートとＸ線画像のフレームレートの比となる。
【００２４】
なお、上記では、プルバック開始前のＸ線画像群３２１を保存しない構成としたが、Ｘ線画像群３２１およびＸ線画像群３２２をＸ線画像格納部１０６に保存するようにしてもよい。この場合、Ｘ線画像群３２２の各Ｘ線画像にはプルバック中の画像であることを示す情報を付加しておき、この情報をたよりにＸ線画像読込部３０１がプルバック中のＸ線画像を読み出すようにすればよい。
【００２５】
続いて、断面情報生成部１０２は、Ｎフレームの血管断層像の各々について断面情報を生成し、断面情報を血管断層像に付加、または血管断層像に対応付けて血管断層像格納部１０５に格納する。図３Ｂは、Ｎフレームの血管断層像の各々に、断面情報が関連付けられた様子を示している。
【００２６】
断面情報生成部１０２が生成する断面情報は、図３Ｂに示されるように、各血管断層像を自動的に解析して検出する情報と医師の入力に応じて生成される情報を含む。自動的に検出される断面情報としては、血管の内腔面積、内腔面積から求まる内腔平均径（内腔面積をＳとすると、平均内腔径Ｄａ＝２×√（Ｓ／π）となる）、内腔の最大径、最小径、偏芯度が挙げられる。これらの断面情報は、全ての血管断層像について取得され、各血管断層像に関連付けられる。また、断面情報生成部１０２は、血管の分枝部の自動検出により、血管断層像が分枝部の基部側端部または末梢側の端部であるかを示す情報を断面情報として自動的に生成する。さらに、断面情報生成部１０２は、血管断層像においてステントの存在を検出し、ステントの有無を示す情報を断面情報として生成する。
【００２７】
さらに、断面情報生成部１０２は、医師が血管断層像を観察して入力した種々の情報、たとえば、石灰化に関する情報や、リファレンス位置、ブックマークに関する情報を断面情報として血管断層像に関連付ける。たとえば、医師は、血管断層像を観察して石灰化の存在する範囲を指示することができ、断面情報生成部１０２はその指示された範囲に対応する血管断層像に石灰化が存在することを示す情報を関連付ける。また、医師は、血管断層像から各血管断層像に石灰化の厚さや石灰化の角度を測定することができ、断面情報生成部１０２はそれら測定結果を断面情報として血管断層像に関連付ける。また、医師は、血管断層像を観察しながら、所望の血管断層像にブックマークを付与することができ、断面情報生成部１０２は、ブックマークの付与の有無を示す情報を断面情報として血管断層像に関連付ける。さらに医師は、病変範囲の開始と終了の血管断層像を指定することができ、断面情報生成部１０２は、指定された病変範囲に対応する各血管断層像にリファレンス位置であることを示す断面情報を関連付ける。
【００２８】
以上のようにして血管断層像（血管断層像群３１１）とＸ線画像（Ｘ線画像群３２２）の収集と、断面情報の格納を終えると、画像表示装置３００は、これら血管断層像とＸ線画像の同期表示および断面情報の重畳表示を行う。以下、画像表示装置３００による同期表示重畳表示について図４のフローチャートを参照して説明する。
【００２９】
まず、ステップＳ４０１において、血管検出部３０２は、ＭフレームのＸ線画像の各々について、血管断層像の撮影対象となった血管（対象血管）を検出する。以下、血管検出部３０２による対象血管の検出処理（以下、血管検出処理）について図５のフローチャートを参照してより詳細に説明する。
【００３０】
血管検出処理では、まず、ステップＳ５０１において、Ｘ線画像読込部３０１はＸ線画像格納部１０６に格納されているＭフレームのＸ線画像群のうちの１番目のＸ線画像を読み込む。そして、ステップＳ５０２において、血管検出部３０２は、Ｘ線画像上のマーカ推定位置の周辺領域を処理対象領域として正規化する。本ステップでは、処理対象領域内の輝度値の最小値と最大値が、有効ビット幅の最小値と最大値となるように正規化が行われる。なお、Ｘ線画像の最初のフレームにおけるマーカ推定位置は、ユーザから与えられたマーカ初期位置であり、それ以降のフレームについてはステップＳ５０９（後述）で算出されたマーカ推定位置が用いられる。なお、ユーザによるマーカ初期位置の指定は、たとえば、ユーザのマウス操作により、ステップＳ５０１で読み込まれたＸ線画像上におけるＸ線不透過マーカ１１８の位置を指定することで行うことができる。
【００３１】
次に、ステップＳ５０３において、血管検出部３０２は、処理対象領域についてフィルタ処理を行ってＸ線不透過マーカ１１８の像の候補を検出する。Ｘ線不透過マーカ１１８はＸ線画像上で小さな黒丸のように見える。そこで、血管検出部３０２は、例えば、黒点を強調できるようなたたみこみフィルタや周波数フィルタを用いて黒点候補を検出する。
【００３２】
ステップＳ５０４において、血管検出部３０２は、ステップＳ５０３で複数の黒点候補が得られた場合に、検出された黒丸にラベリング処理を実行し、各ラベル毎に相関値を算出し、相関値が最も大きい黒点候補をマーカとして選択する。血管検出部３０２は、選択された黒点候補の位置（たとえば、重心位置）を、マーカ位置として用いる。なお、相関値としては、たとえば以下のようなものを用いることができる。
【００３３】
・距離相関：マーカ推定位置（x0,y0）と黒点候補の位置（x,y）との距離が近いほど大きくなる相関値であり、たとえば、ｅ＝１／√（(x0−x)2＋(y0−y)2）により求める。
・面積比：黒点候補の面積（サイズ）が、代表的なX線不透過マーカのサイズに近いかを示す相関値であり、例えばΔＳ＝Ｓj／Ｓr（Ｓjは現在対象としている黒点のサイズ、Ｓrは代表的な不透過マーカのサイズ）により求める。代表的なＸ線不透過マーカのサイズは固定値を用いても、ユーザから与えられたマーカ初期位置から検出された黒点のサイズを用いても、前フレームで検出されたX線不透過マーカのサイズを用いても良い。
・輝度差分：フレーム間における輝度の変化を示す相関値である。この相関値は、フレーム間の黒点候補の位置における輝度の変化（ｉ＋１フレーム目の黒点候補の輝度値と、ｉフレーム目の画像の対応位置における輝度の変化）が大きいほど大きくなる。たとえば、ΔＩ＝（Ｉi+1−Ｉi）＋２（σi+1−σi）により求める。ここで、Ｉi+1は、ｉ＋１フレームにおける１つの黒点候補の領域の平均輝度、Ｉiはその黒点候補の領域に対応するｉフレームの部分の平均輝度である。また、σi+1は、ｉ＋１フレームにおける上記黒点候補の領域の輝度の標準偏差、σiは、ｉフレームの、上記部分における輝度の標準偏差である。
【００３４】
プルバック中において血管断層像を撮影している血管には造影剤が注入されているので、血管の画像の輝度は低くなる。ステップＳ５０５において、血管検出部３０２は、ステップＳ５０４で決定したマーカ位置、すなわちＸ線不透過マーカ１１８の位置から血管基部までを、輝度値が低い部分を通るように自動的にトレースする。トレースにより得られた血管上の座標値列は血管位置情報として血管位置情報格納部３０４に保持され、後述の位置変換テーブルの生成処理（ステップＳ４０２）に用いられる。なお、血管基部としては、ガイディングカテーテル１１２の端部位置が用いられる。ガイディングカテーテル１１２の端部位置はＸ線画像上において特徴的な像を提供するため、血管検出部３０２はこの端部位置、すなわち血管基部を自動的に検出することができる。こうして得られた血管基部からＸ線不透過マーカまでの範囲が血管断層像の撮影範囲となる。
【００３５】
図６Ａは、ステップＳ５０５で得られる血管位置情報を説明する図である。Ｘ線不透過マーカ１１８の検出位置であるマーカ位置６０２からガイディングカテーテル１１２の端部である血管基部６０３までの自動的なトレースにより得られた血管上の対応点のｘ、ｙ座標値が血管位置情報として保持される。なお、図６Ａの例では、マーカ位置６０２から血管基部６０３までの自動的なトレースにおいて、ｐ個の対応点が取得された場合を示しており、血管位置情報としてｐ個の座標が取得された状態が示されている。
【００３６】
次に、ステップＳ５０６において、血管検出部３０２は、処理したＸ線画像が最終フレームか否か（上述したＭフレームのＸ線画像について処理したか否か）を判定する。最終フレームであると判定された場合には本処理を終了する。最終フレームでないと判定された場合には、処理はステップＳ５０７へ進む。
【００３７】
ステップＳ５０７において、血管検出部３０２は、Ｘ線画像読込部３０１にＸ線画像群３２２の次のフレームを読み込ませる。そして、ステップＳ５０８において、血管検出部３０２は、ステップＳ５０７で取得されたＸ線画像について、直前のＸ線画像の血管位置情報（ステップＳ５０５で取得された血管位置情報）を用いた血管の追跡を行う。Ｘ線画像上に表示されている血管は心拍等の影響によりフレーム間で画像上の存在位置が異なる。この動きは、一般的には平行移動と回転で表現できる。そこで、これらにロバストな特性を持つＡＫＡＺＥアルゴリズム等の周知の画像追跡アルゴリズムを用いてフレーム間での血管追跡処理を実施する。
【００３８】
次に、ステップＳ５０９において、血管検出部３０２は、ステップＳ５０７で読み込まれたＸ線画像におけるマーカ推定位置を算出する。より具体的には、血管検出部３０２は、血管追跡処理で検出された血管上において、直前フレームにおいて検出されたマーカ位置に対応する位置から所定の間隔だけ基部側に移動した位置を、次フレームにおけるマーカ推定位置として算出する。ここで、マーカ位置を移動する所定の間隔は、たとえば、プローブ１１５のプルバックスピードから決定することができる。或いは、Ｘ線画像群３２１の最初の数枚についてユーザがマーカ位置を指定し、この指定された位置の間隔から所定の間隔を算出するようにしてもよい。
【００３９】
ステップＳ５０９でマーカの推定位置が求まると、処理はステップＳ５０２に戻る。以降のステップＳ５０２におけるマーカの推定位置には、ユーザ指定されたマーカ初期位置に代えてステップＳ５０９で算出されたマーカ推定位置が用いられる。以上のようにして、プルバック中に撮影されたＸ線画像群３２２のうちのＭフレームのＸ線画像について血管検出を終えると（ステップＳ５０６でＹＥＳ）、図５に示される血管検出処理が終了し、処理はステップＳ４０１からステップＳ４０２に進む。
【００４０】
ステップＳ４０２において、テーブル生成部３０３は、プルバック中に撮影されたＸ線画像群３２２の各Ｘ線画像について、血管断層像とＸ線画像における撮影位置とを対応付けた変換テーブルを生成し、変換テーブル格納部３０５に格納する。以下、テーブル生成部３０３による変換テーブル生成処理について図７Ａのフローチャートを参照して説明する。
【００４１】
まず、ステップＳ７０１において変数ｍが１に設定される。次に、ステップＳ７０２において、テーブル生成部３０３は、ＭフレームのＸ線画像のうちのｍ番目のＸ線画像の血管位置情報を血管位置情報格納部３０４から取得する。そして、ステップＳ７０３において、テーブル生成部３０３は、血管位置情報に基づいて血管検出処理で検出された対象血管の血管長Ｌ（マーカ位置から血管基部までの長さ）を算出する。血管長Ｌは、血管位置情報の隣り合う対応点間の直線距離を算出し、それらを積算することで得られる。例えば血管位置情報が図６Ａに示すようにｐ個の座標値を有する場合、マーカ位置から血管基部（ガイディングカテーテル端部）までの撮影範囲における血管長Ｌは以下の［数１］により算出される。
【００４２】
【数１】
2017130927.tif 000003
【００４３】
次に、ステップＳ７０４において、テーブル生成部３０３は、ステップＳ７０３で求めた血管長Ｌを血管断層像のフレーム数で等分するようにサンプリングする。すなわち、撮影範囲において等間隔に並ぶように血管断層像の取得位置に対応する位置が設定される。本実施形態では、テーブル生成部３０３は、ｍ番目のＸ線画像のマーカ位置から血管基部側の間に存在する血管断層像の取得位置の数で全長Ｌを等分してサンプリング位置を得る。たとえば、１番目のＸ線画像であれば、そのマーカ位置から血管基部までの間にＮフレーム全ての断層像の取得位置が含まれるので、サンプリング位置の間隔ｄＬ（＝Ｌ／（Ｎ−１））が得られる。より一般化すると、Ｘフレームのうちのｍ番目のＸ線画像における血管のマーカ位置から血管基部の間には、Ｎフレームの血管断層像のうちの、［（Ｎ／Ｍ）×（ｍ−１）＋１］フレーム目からＮフレーム目までの血管断層像の取得位置が存在する。したがって、ｍフレーム目のＸ線画像においてマーカ位置から血管基部の間に取得位置が存在する血管断層像のフレーム数は、Ｎ’＝Ｎ−（Ｎ／Ｍ）×（ｍ−１）となり、サンプリング位置の間隔はｄＬ＝Ｌ／Ｎ’となる。この様子を図６Ｂに示す。
【００４４】
次に、ステップＳ７０５において、テーブル生成部３０３は、サンプリング位置の間隔に基づいて、各血管断層像の取得位置に対応するＸ線画像上の座標を取得し、それらを対応付けて変換テーブルを生成し、変換テーブル格納部３０５に格納する。座標値はたとえば、次のようにして求める。
【００４５】
ｉ番目の血管断層像のＸ線画像上の座標位置は、血管位置情報が有するｐ個の座標値のうちのｄＬ×ｉの直前または直後の座標値に基づいて取得される。たとえば、血管情報のｐ個の座標値のうちの以下の［数２］を満たすｊ番目またはｊ＋１番目の座標値をｉ番目の血管断層像の取得位置に対応する座標値として用いる。
【００４６】
【数２】
2017130927.tif 000004
【００４７】
あるいは、［数２］を満たすｊ番目とｊ＋１番目の座標値を結ぶ線分上に血管断層像の取得位置を決定するようにしてもよい。たとえば、図６Ｂに示されるように、血管情報のうちのｊ番目の座標までの血管長をＬ１とした場合に、ｊ番目とｊ＋１番目の座標を結ぶ線分上の、ｊ番目の座標値からｄＬ×ｉ−Ｌ１の距離にある座標値をｉ番目の血管断層像の取得位置に対応する座標値として用いるようにしてもよい。
【００４８】
テーブル生成部３０３は、以上のようにして得られた血管断層像とそのＸ線画像上における取得位置（座標値）とを変換テーブルとして変換テーブル格納部３０５に格納する。ステップＳ７０６において、テーブル生成部３０３は、Ｘ線画像群３２２の最終フレーム（Ｍ番目のフレーム）について処理を終えたか否かを判定し、未処理のフレームがあれば処理をステップＳ７０７に進める。ステップＳ７０７においてｍが１つ加算された後、処理はステップＳ７０２に戻る。こうして、次のＸ線画像について上述した変換テーブルの生成処理が実行される。ステップＳ７０６で最終フレームを処理したと判定されると、変換テーブル生成処理が終了する。この結果、図７Ｂに示されるように、変換テーブル格納部３０５には、Ｘ線画像群３２２のＭ枚のＸ線画像に対応した、Ｍ個の変換テーブル群７１０が格納されることになる。
【００４９】
各Ｘ線画像について変換テーブルが生成されると、処理はステップＳ４０２からステップ４０３へ進む。ステップＳ４０３において、表示制御部３０７は、Ｘ線画像と血管断層像を同期表示するとともに、Ｘ線画像上に断面情報を重畳表示する。本実施形態では血管内診断装置１００による血管断層像のフレームレートとＸ線撮影装置２００によるＸ線画像のフレームレートにしたがって、Ｎフレームの血管断層像に対応したＭフレームのＸ線画像が得られる。したがって、何番目の血管断層像と何番目のＸ線画像の取得タイミングが対応しているかは容易に決定することができる。同期表示では、取得タイミングが互いに対応関係にある血管断層像とＸ線画像が同時に表示される。
【００５０】
ステップＳ４０３における同期表示と、断面情報の重畳表示について図８のフローチャートを参照して説明する。以下では、ディスプレイ３０８に表示すべきＸ線画像が指定され、これに対応する血管断層像が読み出されて同期表示が実現される場合を説明する。但し、ディスプレイ３０８に表示すべき血管断層像が指定され、これに対応するＸ線画像が読み出されて同期表示が実現されてもよいことは言うまでもない。
【００５１】
ステップＳ８０１において、表示制御部３０７は、指定されたＸ線画像をＸ線画像読込部３０１を介してＸ線画像格納部１０６から取得し、ディスプレイ３０８に表示する。ステップＳ８０２において、表示制御部３０７は、ステップＳ８０１で取得したＸ線画像に対応する血管断層像（Ｘ線画像の取得タイミングに対応する血管断層像）を血管断層像読込部３０６を介して血管断層像格納部１０５から取得し、ディスプレイ３０８に表示する。こうして、Ｘ線画像と血管断層像が同期して表示される。
【００５２】
次に、ステップＳ８０３において、表示制御部３０７は変換テーブル格納部３０５から、表示中のＸ線画像に対応する変換テーブルを取得する。ステップＳ８０４において、表示制御部３０７は、表示すべき断面情報の項目が関連付けられた血管断面像のフレーム番号を取得する。なお、表示すべき断面情報の項目を、ユーザが指定できることが望ましい。たとえば、リファレンスの末梢側位置および基部側位置が表示すべき断面情報の項目として指定されたとする。この場合、表示制御部３０７は、断面情報としてリファレンスの基部側を示す情報が付されている血管断層像のフレーム番号と、リファレンスの末梢側を示す情報が付されている血管断層像のフレーム番号を取得する。
【００５３】
ステップＳ８０５において、表示制御部３０７は、ステップＳ８０３で取得された変換テーブルを参照して、ステップＳ８０４で取得されたフレーム番号に対応する座標値を得る。ステップＳ８０６において、表示制御部３０７は、取得した座標位置に基づいて、断面情報をＸ線画像上に重畳表示する。例えば、重畳表示する断面情報としてリファンレス位置が指定された場合、表示制御部３０７は、血管断層像格納部１０５に格納されている血管断層像の断面情報を参照して、リファレンス位置に指定されている血管断層像のうち最も末梢側のフレーム番号と最も基部側のフレーム番号を取得する。そして、表示制御部３０７は、ステップＳ８０３で得られた変換テーブルを参照して、それらフレーム番号に対応したＸ画像上の座標値を取得し、Ｘ線画像上にリファレンスの開始位置を示す表示を行う。
【００５４】
図９は、上述した血管断層像とＸ線画像の同期表示例、および、断面情報の重畳表示例を示す図である。図９において、Ｘ線画像９００はステップＳ８０１で取得されたＸ線画像であり、血管断層像９２０はステップＳ８０２で取得された血管断層像である。縦断面画像９４０は、血管断層像９２０を含む所定範囲の血管断層像群を用いて生成された血管長方向の断面を示す図である。Ｘ線画像９００において、マーク９１０は血管断層像９２０の取得位置（Ｍ）であり、Ｘ線画像９００上で検出されたマーク位置と一致する。なお、縦断面画像９４０は、たとえば、血管断層像９２０の取得位置（Ｍ）を中央とした所定の長さを切り出した断面である。
【００５５】
図９において、Ｘ線画像９００には上述したリファレンス位置の重畳表示例が示されている。上述のようにして取得された基部側（Ｐ）と末梢側（Ｄ）のリファレンス位置が、Ｘ線画像９００上でマーク９０１とマーク９０２により示されている。マーク９０１、９０２は、基部側と末梢側のリファレンス位置の血管断層像の取得位置に対応する血管像上の位置を示す図形である。マーク９０１は、基部側のフレーム番号に対応した座標値が中心となるように配置された所定長の線分であり、その方向は、その座標値の両端における血管位置情報の座標値を両端とする線分の方向に直交するようにしている。末梢側のマーク９０２も同様に、末梢側のフレーム番号に対応した座標値が中心となるように配置された所定長の線分であり、その方向は、その座標値の両端における血管位置情報の座標値を両端とする線分の方向に直交するようにしている。このような重畳表示により、基部側のリファレンス位置と末梢側のリファレンス位置が明示され、血管断層像群を用いて医師が指定した病変区間等が、Ｘ線画像上で明示される。なお、基部側および末梢側のリファレンス位置のフレームに関連付けられている断面情報（内腔面積、平均内腔径など）を、それぞれボックス９０３、９０４により表示するようにしてもよい。なお、縦断面画像９４０においても、基部側と末梢側のリファレンス位置に対応する血管断層像の位置と、血管断層像９２０に対応する位置とをそれぞれマーク９４１，９４２，９４３として示すようにしている。
【００５６】
図１０Ａは、重畳表示する断面情報の項目として石灰化に関する状態を選択した場合の表示例である。図１０Ａでは、同期表示される血管断層像９２０と縦断面画像９４０を省略してある。たとえば、「石灰化の厚さ」に関する断面情報を表示するよう指示された場合、表示制御部３０７は、「石灰化の厚さ」が記録されている断面情報を検索し、厚さの分布をバー９１１により表示する。なお、バー９１１の表示範囲は、石灰化の厚さが記述されている断面情報を有するフレームのうち最も基部側のフレーム番号の位置９１２と最も末梢側のフレーム番号の位置９１３の間とする。バー９１１は、断面情報（石灰化の厚さ）に応じて色または濃度により区分されており、医師はバー９１１により石灰化の厚さの分布を知ることができる。なお、バー９１１の表示範囲のフレームに関連する断面情報に「石灰化の厚さ」が記述されていない場合には、他の断面情報から補間して色または濃度を決定する。「石灰化の角度」についてもバー９１１と同様の表示を行うことができる。なお、図１０Ａでは、リファレンス位置の表示とともにバー９１１を表示しているが、リファレンス位置に関する表示を行わないようにしてもよい。
【００５７】
図１０Ｂは、重畳表示する断面情報の項目として、留置済みのステントの存在する領域の両端位置が指定された場合のＸ線画像の表示例である。表示制御部３０７は、ステントが存在すると記述されている断面情報に関連付けられた血管断層像のうち、最も基部側のフレーム番号と最も末梢側のフレーム番号を取得する。そして、表示制御部３０７は、位置変換テーブルを参照して対応する座標値を取得し、ステントが存在する範囲の両端をマーク９１４とマーク９１５で示す。たとえば、生体吸収性ステント（ＢＲＳ）はＸ線画像に映りにくくＸ線画像を見てもその所在を確認しにくいが、血管断層像においては比較的明瞭に映り検出が容易である。したがって、このような重畳表示によれば、Ｘ線画像に写りにくい生体吸収性ステント（ＢＲＳ）の所在が明示され、術後の診断等に有効である。なお、図１０Ｂでは、リファレンス位置の表示とともにステントの存在する範囲を表示しているが、リファレンス位置に関する表示を行わないようにしてもよい。
【００５８】
以上は重畳表示の一例であり、種々の断面情報をＸ線画像上の対応する位置に表示することができる。なお、上記では、断面情報に基づく情報を、対応する血管断層像の取得位置に基づいてＸ線画像上に重畳して表示したが、断面情報に基づく情報は必ずしも重畳表示しなくてもよい。例えば、図９、図１０Ａ、図１０Ｂにおいて、ボックス９０３，９０４で表示した内容を、縦断面画像９４０など、Ｘ線画像の表示領域以外の領域に表示してもよい。
【００５９】
また、断面情報に基づく情報として、血管像上の２点間における血管に沿った距離（長さ）を示す距離情報を表示させてもよい。この場合、たとえば図３Ｂの断面情報（自動検出する情報）として、基準位置（たとえば、先頭の血管断層像の位置＝先頭の血管断層像に対応するＸ線画像上のマーカ位置）からの血管に沿った距離（図６ＢのｄＬ×ｉ）を保持しておく。表示制御部３０７は、血管像上の２つの位置に対応する血管断層像に関連付けられた断面情報に含まれている距離の差により、血管に沿った距離（長さ）を求め、断面情報に基づく情報として表示する。例えば、図９において、表示制御部３０７は、マーク９０１とマーク９０２のそれぞれの位置に対応する血管断層像に関連付けられた断面情報（距離）から、両者の間の血管に沿った長さを取得することができ、これをＸ線画像上に重畳表示したり、縦断面画像９４０に表示したりすることができる。
【００６０】
また、位置変換テーブルの利用は、上記の重畳表示に限られるものではない。位置変換テーブルには血管断層像のフレーム番号とＸ線画像上の座標が対応付けられているので、たとえば、Ｘ線画像上のプローブが移動した血管の血管像上における任意の位置を指定することで、これに対応した血管断層像を表示させることができる。例えば、図９において、Ｘ線画像９００上でマウス操作等により、マーク９１０を血管上の任意の位置へ移動すると、表示制御部３０７は、移動後のマーク９１０の座標値を算出する。そして、表示制御部３０７は、位置変換テーブルにおいて、算出した座標値に最も近い座標値に対応付けられているフレーム番号を取得し、取得されたフレーム板後の血管断層像を血管断層像格納部１０５から読み込んで表示する。このように、Ｘ線画像上において、血管像上におけるユーザの指定位置を検出し、検出された指定位置に最も近い取得位置の血管断層像を選択して表示することができる。あるいは、プローブが移動した血管の血管像上で任意の２点を指定することにより、指定された２点を取得位置とする血管断層像に関連付けられた断面情報に含まれる距離の情報に基づいて、血管に沿った距離を算出し、表示することもできる。
【００６１】
この場合、マーク９１０の移動位置に応じて逐次に断層像を取得し、表示するようにしてもよいし、マーク９１０の移動後の位置が確定してから対応する血管断層像を取得するようにしてもよい。但し、マーク９１０の移動中に切り替わる血管断層像に応じて直ちにＸ線画像を同期させてしまうと、マーク９１０を移動させるユーザが混乱するので、Ｘ線画像の同期表示は停止することが望ましい。したがって、所定時間よりも短い間隔でユーザによる指定位置が変化する間は、Ｘ線画像の表示の更新を行わないようにすることが望ましい。またその場合、マーク９１０が所定時間静止したことを確認してから、表示中の血管断層像に対応するＸ線画像へ切り替えて、同期表示を再開するようにしてよい。あるいは、マーク９１０の移動後、所定のユーザ操作に応じてＸ線画像の同期表示を再開するようにしてもよい。
【００６２】
また、上記実施形態では、血管断層像の撮影期間における全てのＸ線画像について予め位置変換テーブルを生成しておき、特定された血管断層像の取得位置に対応する位置を得たが、これに限られるものではない。表示対象に選択されたＸ線画像について、重畳表示する断面情報に対応する血管断層像を特定するたびに、特定された血管断層像の取得位置に対応する血管像上の位置を決定するようにしてもよい。或いは、表示対象のＸ線画像が決定されるたびに、そのＸ線画像に関して上述した位置変換テーブルを生成するようにしてもよい。
【００６３】
上記実施形態によれば、たとえば、血管断層像で確認された病変範囲をＸ線画像上に重畳表示することが可能となる。このため、医師が確認したかったＸ画像上における血管断層像で確認した病変部位が視覚化され、治療戦略立案の迅速化や治療の円滑化を図ることができる。
【００６４】
本発明は上記実施の形態に制限されるものではなく、本発明の精神及び範囲から離脱することなく、様々な変更及び変形が可能である。従って、本発明の範囲を公にするために、以下の請求項を添付する。
【００６５】
本願は、２０１６年１月２６日提出の日本国特許出願特願２０１６−０１２７６８を基礎として優先権を主張するものであり、その記載内容の全てを、ここに援用する。
【図１】
2017130927.tif 000005
【図２Ａ】
2017130927.tif 000006
【図２Ｂ】
2017130927.tif 000007
【図３Ａ】
2017130927.tif 000008
【図３Ｂ】
2017130927.tif 000009
【図４】
2017130927.tif 000010
【図５】
2017130927.tif 000011
【図６Ａ】
2017130927.tif 000012
【図６Ｂ】
2017130927.tif 000013
【図７Ａ】
2017130927.tif 000014
【図７Ｂ】
2017130927.tif 000015
【図８】
2017130927.tif 000016
【図９】
2017130927.tif 000017
【図１０Ａ】
2017130927.tif 000018
【図１０Ｂ】
2017130927.tif 000019
【国際調査報告】
2017130927.tif 000020
2017130927.tif 000021
2017130927.tif 000022
2017130927.tif 000023